(57)【特許請求の範囲】
【請求項１】
合流下水道又は分流式下水道の雨水吐内越流堰下流に設置した浮遊物除去装置に関し、除去した浮遊物を貯留する為、上端位置を雨水吐の雨天時水位以上とし、除去した浮遊物を晴天時下水により下水処理場に搬出する為、下端位置を雨水吐の晴天時水位以上としたフェンスを雨水吐内越流堰の上流側に具備した浮遊物除去装置
【発明の詳細な説明】
【特許請求の範囲】
【請求項１】
合流下水道の雨水吐内の越流堰の下流に設置した浮遊物除去装置により捕捉され、掻き上げられた浮遊物がトラフにより搬送され、貯留できるフェンスを具備した浮遊物除去装置に関し、フェンスの上端位置を雨天時水位以上とし、フェンスの下端位置を晴天時水位以上としたフェンスを雨水吐内の越流堰の上流側に設置する事により、捕捉した浮遊物を晴天時の下水で汚水管により下水処理場に搬出できる浮遊物除去装置
【発明の詳細な説明】
【発明の属する技術】
【０００１】  本発明は、合流下水道の雨水吐に設置する浮遊物除去装置の浮遊物貯留、搬出に関する技術
【背景技術】
【０００２】  合流下水道又における雨水吐１には、放流水中の浮遊物１２を除去する浮遊物除去装置が設置されている。浮遊物除去装置を設置した一例を図２に示す。図２は浮遊物除去装置を金網スクリーンとした場合を示す。その他、浮遊物除去装置にはスクリーンの形式をバースクリーン、パンチングメタルスクリーンとしたものがある。浮遊物除去装置は、捕捉した放流水中の浮遊物１２をトラフ７まで掻き揚げる機構を具備している。
雨水吐１には流入管２、放流管３、汚水管４、越流堰５が設置されている。
流入下水は流入管２より雨水吐１の越流堰５の上流へ流入する。晴天時の下水は、晴天時水位９が越流堰５より下部なの全量汚水管４へ流出し下水処理場へ送水される。尚、晴天時の越流堰５の上流の水位を晴天時水位９と言う。尚、汚水管４内の水位は晴天時水位９と同一な場合が多い。晴天時に流入菅２より流入した浮遊物１２は全量汚水管４より晴天時の下水と共に下水処理場へ搬出される。雨天時、流入下水量が増加し、汚水管４よりの流出可能な水量以上になると、越流堰５の上流側水位は、晴天時水位９より上昇し、流入した下水の一部は越流堰５を越流し、放流管３より放流水として流出する。この時の越流堰５の上流水位を雨天時水位１０と言い下流の水位を放流水位１１と言う。
雨天が終了し流入下水量が減少すると、越流堰５の上流水位、越流堰５の下流水位、共に低下し、共に越流堰５より下部と成る。
流入した浮遊物１２が放流管３より浮遊物１２の流出を防止する為、放流水は全量浮遊物除去装置のスクリーン６を通過した後、放流される。
放流水が浮遊物除去装置へ流入する方法はスクリーン６の型式により異なる。浮遊物１２によるスクリーン６の閉塞を防止する為、スクリーン６で捕捉された浮遊物１２はスクリーン６によりトラフ７へ掻き揚げられ、雨水吐１の外へトラフ６により搬出し貯留され、除去作業により外部へ搬出される。
【発明が解決しようとする課題】
【０００３】  雨水吐１の浮遊物除去装置にて除去した雨天時の浮遊物１２を全て下水処理場へ晴天時と同様に搬出することが出来れば、雨水吐１の浮遊物除去装置で掻き上げ、雨水吐１の外へトラフ６により搬出し貯留された雨天時の浮遊物１２を外部へ搬出する作業を省くことができる。
従来の技術では、図２に示す如く、雨天時に流入する雨天時下水量が減少すると、越流堰５の下流水位は低下し、越流堰５の高さ以下となるので越流堰５に止水され、越流堰５の下流側にある浮遊物１２を汚水管４へ流下させることができず、下水処理場へ搬送できないので、浮遊物除去装置にて除去した浮遊物１２は、全て雨水吐１の外に搬出し貯留した後、外部へ搬出する必要がある。
【課題を解決するための手段】
【０００４】  図１に示す如く上端位置を雨天時水位１０以上とし下端位置を晴天時水位９以上としたフェンス８を越流堰５の上流側に設置する。雨天時、浮遊物除去装置にて捕捉した浮遊物１２は、スクリーン６によりトラフ７へ掻き上げられ、トラフ７内を流下し、フェンス８内の水面に搬出し貯留する。その時、フェンス８の上端は、雨天時水位以上なので、浮遊物１２は、越流堰５の下流側へ流出せず、越流堰５の上流側のフェンス内に貯留できる。
晴天時、越流堰５の上流側水位が雨天時水位１０より低下し晴天時水位９と成る。フェンス８内の水位も低下し、フェンス８内の水面に貯留された浮遊物１２はフェンス８内の水位低下と共に落下する、晴天時水位９は、フェンス８の下端より下部にあるので浮遊物１２は、晴天時水位９、の水面に浮遊し汚水管４より晴天時の下水と共に流出し従来の晴天時と同様に下水処理場へ搬出される。
以上の如く、雨天時、浮遊物除去装置により除去した浮遊物１２をフェンス８の内部に貯留し、雨天終了後、雨水吐１の越流堰５の上流側の水位低下によりフェンス８内の雨天時の浮遊物１２を汚水管４を経由して晴天時の下水と共に下水処理場に従来の晴天時と同様に搬出されるので、浮遊物除去装置で捕捉した雨天時の浮遊物１２を雨水吐１の外に搬出し貯留した後、外部へ搬出する作業を省く事ができる。
【発明の実施形態】
【０００５】  次に本発明の実施形態について説明する。
図１は浮遊物除去装置を金網クリーンとした場合を示す。その池、浮遊物除去装置にはスクリーンの形式をバースクリーン、パンチングメタルスクリーンとしたものがあり、放流水中の浮遊物１２を捕捉し、トラフ７まで掻き揚げる機構を具備している。尚、浮遊物除去装置は従来技術と同一である。浮遊物除去装置にて捕捉した浮遊物１２は、スクリーン６により掻き上げられトラフ７へ落下する。トラフ７へ落下し浮遊物１２はトラフ７内を流下し越流堰５の上流側に設置したフェンス８の中に搬出され、フェンス８の内の水面部に一時貯留する。尚、トラフ７の替わりにコンベヤーとすることもできる。
フェンス８の上端高さは、浮遊物１２を貯留した時、浮遊物１２が越流堰５の下流に飛散し、放流水として流出させない為、雨天時水位１０より高くする。フェンス８の下端は晴天時水位９の時、浮遊物１２がフェンス８より雨水吐１内の水面に落下し汚水管４より従来の晴天時と同様に流出させる為、晴天時水位９より高くする。フェンス８の底は無く越流堰５の上流側水位に連通している。
雨天が終了すると流入下水量が減少し、雨天時水位１０は晴天時水位９まで低下し、流入下水は全量汚水管４より下水処理場へ流出する。フェンス８内の浮遊物１２は越流堰５の上流側の水位と連動し水位を下げフェンス８内部より越流堰５の上流側の水面へ落下し汚水管４より従来の晴天時と同様に下水処理場へ流下する。尚、フェンス８の平面位置は図１の如く汚水管４の前面が望ましいが他の越流堰５の上流側の場所でも良い
【発明の効果】
【０００６】雨天時にスクリーン６で捕捉した浮遊物１２はフェンス８内に貯留され、雨天終了後、越流堰５の上流側の水位変動によりフェンス８内えより落下し従来の晴天時と同様に下水処理場へ流下する。
【図面の簡単な説明】
【０００７】
【図１】本発明の浮遊物除去装置を金網スクリーンとした場合の実施例
【図２】浮遊物除去装置を金網スクリーンとした場合の従来技術の例
【符号の説明】１は雨水吐、２は流入管、３は放流管、４は汚水管、５は越流堰  ６はスクリーン、７はトラフ、８はフェンス、９は晴天時水位、１０は雨天時水位、１１は放流水位、１２は浮遊物、
【図１】
0004427812.tif 000002
【図２】
0004427812.tif 000003